(57)【要約】ＣＥＬＬ＿ＦＡＣＨ状態におけるＥ−ＤＣＨ送信中に、アップリンク電力ヘッドルーム（ＵＰＨ）をレポートすることを容易にするシステムおよび方法が記載される。ＡＩＣＨを受信すると、ＰＲＡＣＨプリアンブルを送信し、Ｅ−ＤＣＨにおける送信前に、ＵＥの送信電力レベルを評価する。Ｅ−ＤＣＨ送信について、ＵＰＨ測定値をレポートするために、短縮された測定期間が利用されうる。特に、短縮された測定期間は、１００ミリ秒未満でありうる。ＡＩＣＨ／Ｅ−ＡＩＣＨが受信され、設定可能な数のラジオ・フレームについてＤＰＣＣＨが送信されることに基づいて、ＵＰＨ測定値が通信されうる。ＵＰＨ測定値は、実際のデータ送信前の送信電力に基づきうる。ＵＰＨ測定値は、さらに、ＭＡＣヘッダのスケジューリング情報部内に含まれうる。
2011515997.tif 000002
【特許請求の範囲】
【請求項１】
ＣＥＬＬ＿ＦＡＣＨ状態におけるエンハンスト専用チャネル（Ｅ−ＤＣＨ）送信に関連付けられたアップリンク電力ヘッドルーム（ＵＰＨ）測定値を伝送することを容易にする方法であって、
獲得インジケーション・チャネル（ＡＩＣＨ）を受信すると、物理ランダム・アクセス・チャネル（ＰＲＡＣＨ）プリアンブルの一部を送信することと、
設定可能なラジオ・フレームのため専用物理制御チャネル（ＤＰＣＣＨ）を通信することと、
Ｅ−ＤＣＨに関連付けられたデータ送信前に、ユーザ機器（ＵＥ）の送信電力レベルを評価することと、
ヘッダのスケジューリング情報（ＳＩ）部の中に前記ＵＰＨ測定値を組み込むことと
を備え、
前記組み込むことは、前記Ｅ−ＤＣＨ送信の、前記評価された送信電力レベルに少なくとも部分的に基づく方法。
【請求項２】
前記ヘッダのＳＩ部を、基地局、サービス提供している基地局、ターゲットである基地局、ネットワーク、サーバ、またはｅノードＢのうちの少なくとも１つへレポートすることをさらに備える請求項１に記載の方法。
【請求項３】
前記ヘッダは、媒体アクセス制御（ＭＡＣ）ヘッダである請求項１に記載の方法。
【請求項４】
ユーザ機器のＵＰＨ測定値を識別するために、前記ヘッダのＳＩ部を利用することをさらに備える請求項１に記載の方法。
【請求項５】
短縮された測定期間に基づいて前記ＵＰＨ測定値をレポートせよとの要求を受信することをさらに備え、
前記短縮された測定期間は、１００ミリ秒未満である請求項１に記載の方法。
【請求項６】
ＤＰＣＣＨプリアンブルが設定されているかを確認することをさらに備える請求項１に記載の方法。
【請求項７】
ＤＰＣＣＨプリアンブルが設定されていない場合、前記ＡＩＣＨを受信する前に、以前に送信されたプリアンブル電力をレポートすることをさらに備える請求項６に記載の方法。
【請求項８】
以前のデータ送信のために送信されたプリアンブル電力を利用することをさらに備え、
以前に送信された電力は、最後に送信されたＰＲＡＣＨプリアンブル電力である請求項７に記載の方法。
【請求項９】
前記ＵＥをスケジュールするために、前記ＵＰＨ測定値を、ＭＡＣ−ｅスケジューラとともに用いることをさらに備える請求項１に記載の方法。
【請求項１０】
前記Ｅ−ＤＣＨ送信のための時間を短縮すること、Ｅ−ＤＣＨリソースの衝突の可能性を低減すること、Ｅ−ＤＣＨリソースのブロッキングの可能性を低減すること、のうちの少なくとも１つを適用するために、前記ＵＰＨ測定値を、ＭＡＣ−ｅスケジューラとともに用いることをさらに備える請求項１に記載の方法。
【請求項１１】
無線通信装置であって、
獲得インジケーション・チャネル（ＡＩＣＨ）を受信すると、物理ランダム・アクセス・チャネル（ＰＲＡＣＨ）プリアンブルの一部を送信し、
設定可能なラジオ・フレームのため専用物理制御チャネル（ＤＰＣＣＨ）を通信し、
データ送信前に、ユーザ機器（ＵＥ）の送信電力レベルを評価し、 
ヘッダのスケジューリング情報（ＳＩ）部の中にアップリンク電力ヘッドルーム（ＵＰＨ）測定値を組み込む
ように構成された少なくとも１つのプロセッサを備え、
前記組み込むことは、エンハンスト専用チャネル（Ｅ−ＤＣＨ）送信の、前記評価された送信電力レベルに少なくとも部分的に基づき、
前記無線通信装置はさらに、前記少なくとも１つのプロセッサに接続されたメモリを備える無線通信装置。
【請求項１２】
前記ヘッダのＳＩ部を、基地局、サービス提供している基地局、ターゲットである基地局、ネットワーク、サーバ、またはｅノードＢのうちの少なくとも１つへレポートするように構成された少なくとも１つのプロセッサをさらに備える請求項１１に記載の無線通信装置。
【請求項１３】
ユーザ機器のＵＰＨ測定値を識別するために、前記ヘッダのＳＩ部を利用するように構成された少なくとも１つのプロセッサをさらに備える請求項１１に記載の無線通信装置。
【請求項１４】
ＣＥＬＬ＿ＦＡＣＨ状態におけるエンハンスト専用チャネル（Ｅ−ＤＣＨ）送信に関連付けられたアップリンク電力ヘッドルーム（ＵＰＨ）測定値を伝送することを可能にする無線通信装置であって、
獲得インジケーション・チャネル（ＡＩＣＨ）を受信すると、物理ランダム・アクセス・チャネル（ＰＲＡＣＨ）プリアンブルの一部を送信する手段と、
設定可能なラジオ・フレームのため専用物理制御チャネル（ＤＰＣＣＨ）を通信する手段と、
データ送信前に、ユーザ機器（ＵＥ）の送信電力レベルを評価する手段と、
ヘッダのスケジューリング情報（ＳＩ）部の中に前記ＵＰＨ測定値を組み込む手段とを備え、
前記組み込むことは、前記Ｅ−ＤＣＨ送信の、前記評価された送信電力レベルに少なくとも部分的に基づく無線通信装置。
【請求項１５】
前記ヘッダのＳＩ部を、基地局、サービス提供している基地局、ターゲットである基地局、ネットワーク、サーバ、またはｅノードＢのうちの少なくとも１つへレポートする手段をさらに備える請求項１４に記載の無線通信装置。
【請求項１６】
ユーザ機器のＵＰＨ測定値を識別するために、前記ヘッダのＳＩ部を利用する手段をさらに備える請求項１４に記載の無線通信装置。
【請求項１７】
短縮された測定期間に基づいて前記ＵＰＨ測定値をレポートせよとの要求を受信する手段をさらに備え、
前記短縮された測定期間は、１００ミリ秒未満である請求項１４に記載の無線通信装置。
【請求項１８】
コンピュータ読取可能媒体を備えるコンピュータ・プログラム製品であって、
前記コンピュータ読取可能媒体は、
少なくとも１つのコンピュータに対して、獲得インジケーション・チャネル（ＡＩＣＨ）を受信すると、物理ランダム・アクセス・チャネル（ＰＲＡＣＨ）プリアンブルの一部を送信させるためのコードと、
少なくとも１つのコンピュータに対して、設定可能なラジオ・フレームのため専用物理制御チャネル（ＤＰＣＣＨ）を通信させるためのコードと、
少なくとも１つのコンピュータに対して、データ送信前に、ユーザ機器（ＵＥ）の送信電力レベルを評価させるためのコードと、
少なくとも１つのコンピュータに対して、ヘッダのスケジューリング情報（ＳＩ）部の中にアップリンク電力ヘッドルーム（ＵＰＨ）測定値を組み込ませるためのコードとを備え、
前記組み込むことは、前記Ｅ−ＤＣＨ送信の、前記評価された送信電力レベルに少なくとも部分的に基づくコンピュータ・プログラム製品。
【請求項１９】
ＣＥＬＬ＿ＦＡＣＨにおいて、ユーザ機器（ＵＥ）のためのアップリンク電力ヘッドルーム（ＵＰＨ）測定値を受信することを容易にする方法であって、
ＣＥＬＬ＿ＦＡＣＨ状態におけるエンハンスト専用チャネル（Ｅ−ＤＣＨ）送信を検出することと、
ＣＥＬＬ＿ＦＡＣＨ内の前記Ｅ−ＤＣＨ送信に関連付けられた前記ＵＰＨ測定値を計算するために、短縮された測定期間を利用することとを備え、
前記短縮された測定期間は、１００ミリ秒未満であり、
前記方法はさらに、 
前記短縮された測定期間に基づいて、前記ＵＥからのＵＰＨ測定値を要求することと、
前記要求されたＵＰＨ測定値を識別するために、ヘッダ内の受信されたスケジューリング情報（ＳＩ）の一部を評価することと
を備える方法。
【請求項２０】
前記ＵＰＨ測定値を、前記ＵＥ送信電力ヘッドルームの、前記短縮された測定期間にわたる平均値として定義することをさらに備える請求項１９に記載の方法。
【請求項２１】
非ＣＥＬＬ＿ＦＡＣＨ状態における送信のための前記ＵＰＨ測定値を計算するために、１００ミリ秒の測定期間を利用することをさらに備える請求項１９に記載の方法。
【請求項２２】
非Ｅ−ＤＣＨにおける送信のための前記ＵＰＨ測定値を計算するために、１００ミリ秒の測定期間を利用することをさらに備える請求項１９に記載の方法。
【請求項２３】
前記ＵＥから物理ランダム・アクセス・チャネル（ＰＲＡＣＨ）プリアンブルを受信することをさらに備える請求項１９に記載の方法。
【請求項２４】
前記ＵＥへ獲得インジケーション・チャネル（ＡＩＣＨ）を送信することをさらに備える請求項２３に記載の方法。
【請求項２５】
設定可能なラジオ・フレームのため専用物理制御チャネル（ＤＰＣＣＨ）を受信することをさらに備える請求項２４に記載の方法。
【請求項２６】
データ送信前の送信電力に基づいて、利用可能なヘッドルームを、前記ＵＰＨ測定値として利用することをさらに備える請求項２５に記載の方法。
【請求項２７】
前記ＵＥをスケジュールするために、前記ＵＰＨ測定値を、ＭＡＣ−ｅスケジューラとともに用いることをさらに備える請求項１９に記載の方法。
【請求項２８】
前記Ｅ−ＤＣＨ送信のための時間を短縮すること、Ｅ−ＤＣＨリソースの衝突の可能性を低減すること、Ｅ−ＤＣＨリソースのブロッキングの可能性を低減すること、のうちの少なくとも１つを適用するために、前記ＵＰＨ測定値を、ＭＡＣ−ｅスケジューラとともに用いることをさらに備える請求項１９に記載の方法。
【請求項２９】
無線通信装置であって、
ＣＥＬＬ＿ＦＡＣＨ状態におけるエンハンスト専用チャネル（Ｅ−ＤＣＨ）送信を検出し、
ＣＥＬＬ＿ＦＡＣＨ内の前記Ｅ−ＤＣＨ送信に関連付けられたアップリンク電力ヘッドルーム（ＵＰＨ）測定値を計算するために、短縮された測定期間を利用する
ように構成された少なくとも１つのプロセッサを備え、
前記短縮された測定期間は、１００ミリ秒未満であり、
前記プロセッサはさらに、
前記短縮された測定期間に基づいて、ユーザ機器（ＵＥ）からのＵＰＨ測定値を要求し、
前記要求されたＵＰＨ測定値を識別するために、ヘッダ内の受信されたスケジューリング情報（ＳＩ）の一部を評価するように構成され、
前記無線通信装置はさらに、前記少なくとも１つのプロセッサに接続されたメモリを備える無線通信装置。
【請求項３０】
前記ＵＰＨ測定値を、前記ＵＥの送信電力ヘッドルームの、前記短縮された測定期間にわたる平均値として定義するように構成された少なくとも１つのプロセッサをさらに備える請求項２９に記載の無線通信装置。
【請求項３１】
非ＣＥＬＬ＿ＦＡＣＨ状態における送信のための前記ＵＰＨ測定値を計算するために、１００ミリ秒の測定期間を利用するように構成された少なくとも１つのプロセッサをさらに備える請求項２９に記載の無線通信装置。
【請求項３２】
非Ｅ−ＤＣＨにおける送信のための前記ＵＰＨ測定値を計算するために、１００ミリ秒の測定期間を利用するように構成された少なくとも１つのプロセッサをさらに備える請求項２９に記載の無線通信装置。
【請求項３３】
前記ＵＥから物理ランダム・アクセス・チャネル（ＰＲＡＣＨ）プリアンブルを受信するように構成された少なくとも１つのプロセッサをさらに備える請求項２９に記載の無線通信装置。
【請求項３４】
前記ＵＥへ獲得インジケーション・チャネル（ＡＩＣＨ）を送信するように構成された少なくとも１つのプロセッサをさらに備える請求項３３に記載の無線通信装置。
【請求項３５】
ＣＥＬＬ＿ＦＡＣＨにおいて、ユーザ機器（ＵＥ）のためのアップリンク電力ヘッドルーム（ＵＰＨ）測定値を受信することを可能にする無線通信装置であって、
ＣＥＬＬ＿ＦＡＣＨ状態におけるエンハンスト専用チャネル（Ｅ−ＤＣＨ）送信を検出する手段と、
ＣＥＬＬ＿ＦＡＣＨ内の前記Ｅ−ＤＣＨ送信に関連付けられた前記ＵＰＨ測定値を計算するために、短縮された測定期間を利用する手段とを備え、 
前記短縮された測定期間は、１００ミリ秒未満であり、
前記無線通信装置はさらに、
前記短縮された測定期間に基づいて、前記ＵＥからのＵＰＨ測定値を要求する手段と、
前記要求されたＵＰＨ測定値を識別するために、ヘッダ内の受信されたスケジューリング情報（ＳＩ）の一部を評価する手段と
を備える無線通信装置。
【請求項３６】
前記ＵＰＨ測定値を、前記ＵＥの送信電力ヘッドルームの、前記短縮された測定期間にわたる平均値として定義する手段をさらに備える請求項３５に記載の無線通信装置。
【請求項３７】
非ＣＥＬＬ＿ＦＡＣＨ状態における送信のための前記ＵＰＨ測定値を計算するために、１００ミリ秒の測定期間を利用する手段をさらに備える請求項３５に記載の無線通信装置。
【請求項３８】
コンピュータ読取可能媒体を備えるコンピュータ・プログラム製品であって、
前記コンピュータ読取可能媒体は、
少なくとも１つのコンピュータに対して、ＣＥＬＬ＿ＦＡＣＨ状態におけるエンハンスト専用チャネル（Ｅ−ＤＣＨ）送信を検出させるためのコードと、
少なくとも１つのコンピュータに対して、ＣＥＬＬ＿ＦＡＣＨ内の前記Ｅ−ＤＣＨ送信に関連付けられたアップリンク電力ヘッドルーム（ＵＰＨ）測定値を計算するために、短縮された測定期間を利用させるためのコードとを備え、
前記短縮された測定期間は、１００ミリ秒未満であり、
前記コンピュータ読取可能媒体はさらに、
少なくとも１つのコンピュータに対して、前記短縮された測定期間に基づいて、ユーザ機器（ＵＥ）からのＵＰＨ測定値を要求させるためのコードと、
少なくとも１つのコンピュータに対して、前記要求されたＵＰＨ測定値を識別するために、ヘッダ内の受信されたスケジューリング情報（ＳＩ）の一部を評価させるためのコードと
を備えるコンピュータ・プログラム製品。
【請求項３９】
前記コンピュータ読取可能媒体はさらに、前記少なくとも１つのコンピュータに対して、非ＣＥＬＬ＿ＦＡＣＨ状態における送信のための前記ＵＰＨ測定値を計算するために、１００ミリ秒の測定期間を利用させるためのコードをさらに備える請求項３８に記載のコンピュータ・プログラム製品。
【請求項４０】
前記コンピュータ読取可能媒体はさらに、前記少なくとも１つのコンピュータに対して、非Ｅ−ＤＣＨにおける送信のための前記ＵＰＨ測定値を計算するために、１００ミリ秒の測定期間を利用させるためのコードをさらに備える請求項３８に記載のコンピュータ・プログラム製品。
【発明の詳細な説明】
【関連出願に対する相互参照】
【０００１】
本特許出願は、２００８年３月２４日に出願された「ＵＰＬＩＮＫ  ＰＯＷＥＲ  ＨＥＡＤＲＯＯＭ  ＤＥＦＩＮＩＴＩＯＮ  ＦＯＲ  Ｅ−ＤＣＨ  ＩＮ  ＣＥＬＬ＿ＦＡＣＨ」と題された米国仮出願６１／０３９，０５７号、および２００８年９月９日に出願された「ＵＰＬＩＮＫ  ＰＯＷＥＲ  ＨＥＡＤＲＯＯＭ  ＤＥＦＩＮＩＴＩＯＮ  ＦＯＲ  Ｅ−ＤＣＨ  ＩＮ  ＣＥＬＬ＿ＦＡＣＨ」と題された米国仮出願６１／０９５，４８３号の利益を主張する。上記出願の全体は、参照によって本明細書に組み込まれる。
【技術分野】
【０００２】
以下の記載は、一般に、無線通信に関し、さらに詳しくは、エンハンスト専用チャネル（Ｅ−ＤＣＨ）送信のためのアップリンク電力ヘッドルーム（ＵＰＨ）測定値をレポートすることに関する。
【背景技術】
【０００３】
無線通信システムはさまざまなタイプの通信を提供するために広く開発され、例えば、音声および／またはデータが、そのような無線通信システムによって提供されうる。一般的な無線通信システムすなわちネットワークは、複数のユーザへ、１または複数の共有リソース（例えば、帯域幅、送信電力）に対するアクセスを提供しうる。例えば、システムは、周波数分割多重化（ＦＤＭ）、時分割多重化（ＴＤＭ）、符号分割多重化（ＣＤＭ）、直交周波数分割多重化（ＯＦＤＭ）のような様々な多元接続技術を使用することができる。
【０００４】
通常、無線多元接続通信システムは、複数のモバイル・デバイスのための通信を同時にサポートすることができる。おのおののモバイル・デバイスは、順方向リンクおよび逆方向リンクによる送信を介して、１または複数の基地局と通信することができる。順方向リンク（すなわち、ダウンリンク）は、基地局からモバイル・デバイスへの通信リンクを称し、逆方向リンク（すなわち、アップリンク）は、モバイル・デバイスから基地局への通信リンクを称する。
【０００５】
無線通信システムはしばしば、有効範囲領域を提供する１または複数の基地局を使用する。一般的な基地局は、ブロードキャスト・サービス、マルチキャスト・サービス、および／またはユニキャスト・サービスのために複数のデータ・ストリームを送信することができる。これらデータ・ストリームは、モバイル・デバイスに対して興味のある独立した受信からなるデータのストリームでありうる。そのような基地局の有効範囲領域内のモバイル・デバイスは、合成ストリームによって搬送された１つ、複数、あるいはすべてのデータ・ストリームを受信するために使用されうる。同様に、モバイル・デバイスは、基地局あるいは別のモバイル・デバイスへデータを送信しうる。
【０００６】
ＣＥＬＬ＿ＦＡＣＨ状態における一般的なＥ−ＤＣＨ送信は、持続時間が短くなりうる。そのような持続時間の開始中、ＭＡＣ−ｅスケジューラは、ＵＰＨ測定値に関連する情報を持たない場合がある。これによって、ユーザ機器（ＵＥ）を極めて保守的にスケジュールしなければならなくなる。このような保守的なスケジューリングによって、ＵＥが大量の送信データを有する場合、Ｅ−ＤＣＨ送信は長くなってしまう。さらに、この保守的なスケジューリングは、Ｅ−ＤＣＨリソースの衝突およびブロッキング（blocking）の可能性に影響を与えうる。
【発明の概要】
【０００７】
以下は、１または複数の実施形態の基本的な理解を与えるために、そのような実施形態の簡略化された概要を示す。この概要は、考えられるすべての実施形態の広範囲な概観ではなく、すべての実施形態の重要要素や決定的要素を特定することも、何れかまたはすべての実施形態のスコープを線引きすることも意図されていない。その唯一の目的は、後に示されるより詳細な記載に対する前置きとして、簡略化された形式で１または複数の実施形態のいくつかの概念を表すことである。
【０００８】
関連する態様によれば、方法は、ＣＥＬＬ＿ＦＡＣＨ状態において、エンハンスト専用チャンネル（Ｅ−ＤＣＨ）送信に関連付けられたアップリンク電力ヘッドルーム（ＵＰＨ）測定値を伝送することを容易にしうる。この方法は、獲得インジケーション・チャネル（ＡＩＣＨ）を受信すると、物理ランダム・アクセス・チャネル（ＰＲＡＣＨ）プリアンブルの一部を送信することを含みうる。この方法はさらに、設定可能なラジオ・フレームのため専用物理制御チャネル（ＤＰＣＣＨ）を通信することを備えうる。この方法はまた、Ｅ−ＤＣＨに関連付けられたデータ送信前に、ＵＥの送信電力レベルを評価することを含みうる。この方法は、ヘッダのスケジューリング情報（ＳＩ）部の中にＵＰＨ測定値を組み込むことを含みうる。この組み込みは、Ｅ−ＤＣＨ送信の評価された送信電力レベルに少なくとも部分的に基づきうる。
【０００９】
別の態様は、無線通信装置に関する。この無線通信装置は、少なくとも１つのプロセッサを含みうる。このプロセッサは、獲得インジケーション・チャネル（ＡＩＣＨ）を受信すると、物理ランダム・アクセス・チャネル（ＰＲＡＣＨ）プリアンブルの一部を送信し、設定可能なラジオ・フレームのため専用物理制御チャネル（ＤＰＣＣＨ）を通信し、データ送信前に、ＵＥの送信電力レベルを評価し、あるいは、ヘッダのスケジューリング情報（ＳＩ）部の中にＵＰＨ測定値を組み込むように構成されている。ここで、この組み込みは、Ｅ−ＤＣＨ送信の評価された送信電力レベルに少なくとも部分的に基づく。
【００１０】
また、別の態様は、ＣＥＬＬ＿ＦＡＣＨ状態におけるエンハンスト専用チャネル（Ｅ−ＤＣＨ）送信に関連付けられたアップリンク電力ヘッドルーム（ＵＰＨ）測定値を伝送することを可能にする無線通信装置に関する。この無線通信装置は、獲得インジケーション・チャネル（ＡＩＣＨ）を受信すると、物理ランダム・アクセス・チャネル（ＰＲＡＣＨ）プリアンブルの一部を送信する手段を含みうる。加えて、この無線通信装置は、設定可能なラジオ・フレームのため専用物理制御チャネル（ＤＰＣＣＨ）を通信する手段を含みうる。この無線通信装置はさらに、データ送信前に、ＵＥの送信電力レベルを評価する手段を含みうる。さらに、この無線通信装置は、ヘッダのスケジューリング情報（ＳＩ）部の中にＵＰＨ測定値を組み込む手段を含みうる。ここで、この組み込みは、Ｅ−ＤＣＨ送信の評価された送信電力レベルに少なくとも部分的に基づく。
【００１１】
また、別の態様は、コンピュータ読取可能媒体を備えるコンピュータ・プログラム製品に関する。このコンピュータ読取可能媒体は、少なくとも１つのコンピュータに対して、獲得インジケーション・チャネル（ＡＩＣＨ）を受信すると、物理ランダム・アクセス・チャネル（ＰＲＡＣＨ）プリアンブルの一部を送信させるためのコードと、少なくとも１つのコンピュータに対して、設定可能なラジオ・フレームのため専用物理制御チャネル（ＤＰＣＣＨ）を通信させるためのコードと、少なくとも１つのコンピュータに対して、データ送信前に、ＵＥの送信電力レベルを評価させるためのコードと、少なくとも１つのコンピュータに対して、ヘッダのスケジューリング情報（ＳＩ）部の中にＵＰＨ測定値を組み込ませるためのコードとを格納している。ここで、この組み込みは、Ｅ−ＤＣＨ送信の評価された送信電力レベルに少なくとも部分的に基づく。
【００１２】
他の態様によれば、方法は、ＣＥＬＬ＿ＦＡＣＨにおいて、ユーザ機器（ＵＥ）のためのアップリンク電力ヘッドルーム（ＵＰＨ）測定値を受信することを容易にしうる。この方法は、ＣＥＬＬ＿ＦＡＣＨ状態におけるエンハンスト専用チャネル（Ｅ−ＤＣＨ）送信を検出することを含みうる。この方法はさらに、ＣＥＬＬ＿ＦＡＣＨ内のＥ−ＤＣＨ送信に関連付けられたＵＰＨ測定値を計算するために、短縮された測定期間を利用することを含みうる。ここで、短縮された測定期間は、１００ミリ秒未満である。この方法はさらに、短縮された測定期間に基づいて、ＵＥからのＵＰＨ測定値を要求することを備えうる。この方法はまた、要求されたＵＰＨ測定値を識別するために、ヘッダ内の受信されたスケジューリング情報（ＳＩ）の一部を評価することも含みうる。
【００１３】
別の態様は、無線通信装置に関する。この無線通信装置は、少なくとも１つのプロセッサを含みうる。このプロセッサは、ＣＥＬＬ＿ＦＡＣＨ状態におけるエンハンスト専用チャネル（Ｅ−ＤＣＨ）送信を検出し、ＣＥＬＬ＿ＦＡＣＨ内のＥ−ＤＣＨ送信に関連付けられたＵＰＨ測定値を計算するために、短縮された測定期間を利用するように構成されている。ここで、短縮された測定期間は、１００ミリ秒未満である。このプロセッサはさらに、短縮された測定期間に基づいて、ＵＥからのＵＰＨ測定値を要求し、要求されたＵＰＨ測定値を識別するために、ヘッダ内の受信されたスケジューリング情報（ＳＩ）の一部を評価するように構成されている。
【００１４】
別の態様は、ＣＥＬＬ＿ＦＡＣＨにおいて、ユーザ機器（ＵＥ）のためのアップリンク電力ヘッドルーム（ＵＰＨ）測定値を受信することを可能にする無線通信装置に関する。この無線通信装置は、ＣＥＬＬ＿ＦＡＣＨ状態におけるエンハンスト専用チャネル（Ｅ−ＤＣＨ）送信を検出する手段を含みうる。この無線通信装置はさらに、ＣＥＬＬ＿ＦＡＣＨ内のＥ−ＤＣＨ送信に関連付けられたＵＰＨ測定値を計算するために、短縮された測定期間を利用する手段を含みうる。ここで、短縮された測定期間は、１００ミリ秒未満である。さらに、この無線通信装置は、短縮された測定期間に基づいて、ＵＥからのＵＰＨ測定値を要求する手段を備えうる。この無線通信装置は、要求されたＵＰＨ測定値を識別するために、ヘッダ内の受信されたスケジューリング情報（ＳＩ）の一部を評価する手段を含みうる。
【００１５】
また、別の態様は、コンピュータ読取可能媒体を備えるコンピュータ・プログラム製品に関する。このコンピュータ読取可能媒体は、少なくとも１つのコンピュータに対して、ＣＥＬＬ＿ＦＡＣＨ状態におけるエンハンスト専用チャネル（Ｅ−ＤＣＨ）送信を検出させるためのコードと、少なくとも１つのコンピュータに対して、ＣＥＬＬ＿ＦＡＣＨ状態におけるＥ−ＤＣＨ送信に関連付けられたＵＰＨ測定値を計算するために、短縮された測定期間を利用させるためのコードとを格納しうる。ここで、短縮された測定期間は、１００ミリ秒未満である。このコンピュータ読取可能媒体はさらに、少なくとも１つのコンピュータに対して、短縮された測定期間に基づいて、ＵＥからのＵＰＨ測定値を要求させるためのコードと、少なくとも１つのコンピュータに対して、要求されたＵＰＨ測定値を識別するために、ヘッダ内の受信されたスケジューリング情報（ＳＩ）の一部を評価させるためのコードとを格納しうる。
【００１６】
前述した目的および関連する目的を達成するために、１または複数の実施形態は、後に十分に記載され、特許請求の範囲において特に指摘されている特徴を備える。次の記載および添付図面は、１または複数の実施形態のある実例となる態様を詳細に記載する。しかしながら、これらの態様は、さまざまな実施形態の原理が適用されるさまざまな方法のうちの僅かしか示しておらず、記載された実施形態は、そのようなすべての局面およびそれらの均等物を示すことが意図されている。
【図面の簡単な説明】
【００１７】
【図１】図１は、本明細書に記載されたさまざまな態様にしたがう無線通信システムの実例である。
【図２】図２は、無線通信環境において適用される通信装置の実例である。
【図３】図３は、エンハンスト専用チャネル（Ｅ−ＤＣＨ）送信の間、短縮された測定期間で、アップリンク電力ヘッドルーム（ＵＰＨ）測定値をレポートすることを容易にする無線通信システムの実例である。
【図４】図４は、Ｅ−ＤＣＨ送信中にユーザ機器（ＵＥ）からＵＰＨ測定値を伝送する方法の実例である。
【図５】図５は、Ｅ−ＤＣＨ送信のために、短縮された測定期間において、ＵＥからのＵＰＨ測定値を要求する方法の実例である。
【図６】図６は、無線通信システムにおいて、ヘッダ内のスケジューリング情報（ＳＩ）に、ＵＰＨ測定値をパッケージすることを容易にするモバイル・デバイスの実例である。
【図７】図７は、無線通信環境において、ＵＥが、Ｅ−ＤＣＨ送信中に、ＵＰＨ測定値をより頻繁に通信できるようにするシステムの実例である。
【図８】図８は、本明細書で開示されたされたさまざまなシステムおよび方法と共に適用されうる無線ネットワーク環境の実例である。
【図９】図９は、エンハンスト専用チャネル（Ｅ−ＤＣＨ）送信中、短縮された測定期間で、アップリンク電力ヘッドルーム（ＵＰＨ）測定値をレポートすることを容易にするシステムの実例である。
【図１０】図１０は、Ｅ−ＤＣＨ送信のために、短縮された測定期間で、ＵＥからのＵＰＨ測定値を要求するシステムの実例である。
【発明を実施するための形態】
【００１８】
さまざまな実施形態が、全体を通じて同一要素を示すために同一の参照番号が使用される図面を参照して説明される。次の記述では、説明の目的のために、多数の特定の詳細が、１または複数の実施形態についての完全な理解を提供するために記述される。しかしながら、そのような実施形態は、これら具体的な詳細なしで実現されうることが明白でありうる。他の事例では、１または複数の実施形態の記載を容易にするために、周知の構成およびデバイスがブロック図形式で示される。
【００１９】
本願で使用されるように、「モジュール」、「構成要素」、「評価部」、「パッケージャ」、「レポータ」、「検出器」、「分析器」、「システム」などの用語は、ハードウェア、ファームウェア、ハードウェアとソフトウェアとの組み合わせ、ソフトウェア、実行中のソフトウェアのいずれかであるコンピュータ関連エンティティを称することが意図される。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピュータ・デバイス上で実行中のアプリケーションと、コンピュータ・デバイスとの両方が構成要素になりえる。１または複数の構成要素は、プロセスおよび／または実行スレッド内に存在し、構成要素は、１つのコンピュータに局在化されるか、および／または、複数のコンピュータに分散されうる。さらに、これらの構成要素は、さまざまなデータ構造を格納したさまざまなコンピュータ読取可能媒体から実行可能である。これら構成要素は、（例えば、信号によってローカル・システムや分散システム内の他の構成要素とインタラクトする１つの構成要素からのデータ、および／または、他のシステムを備えた例えばインターネットのようなネットワークを経由して他の構成要素とインタラクトする１つの構成要素からのデータのような）１または複数のデータのパケットを有する信号にしたがって、ローカル処理および／またはリモート処理によって通信することができる。
【００２０】
本明細書に記述された技術は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングル・キャリア周波数分割多元接続（ＳＣ−ＦＤＭＡ）システム、およびその他のシステムのようなさまざまな無線通信システムに使用することができる。「システム」、「ネットワーク」という用語はしばしば置換可能に使用される。ＣＤＭＡシステムは、例えばユニバーサル地上ラジオ・アクセス（ＵＴＲＡ）、ＣＤＭＡ２０００等のようなラジオ技術を実現することができる。ＵＴＲＡは、広帯域ＣＤＭＡ（Ｗ−ＣＤＭＡ）およびＣＤＭＡのその他の変形を含んでいる。ＣＤＭＡ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現することができる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現することができる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いるＵＭＴＳの最新のリリースである。
【００２１】
シングル・キャリア周波数分割多元接続（ＳＣ−ＦＤＭＡ）は、シングル・キャリア変調および周波数ドメイン等値化を用いる。ＳＣ−ＦＤＭＡは、ＯＦＤＭＡシステムと類似の性能を有し、本質的に全体的に同等の複雑さを有する。ＳＣ−ＦＤＭＡ信号は、その固有のシングル・キャリア構造により、より低いピーク対平均電力比（ＰＡＰＲ）を有する。ＳＣ−ＦＤＭＡは、例えば、より低いＰＡＰＲが送信電力効率の観点からアクセス端末に非常に役立つアップリンク通信で使用されうる。したがって、ＳＣ−ＦＤＭＡは、３ＧＰＰロング・ターム・イボリューション（ＬＴＥ）すなわちイボルブドＵＴＲＡにおけるアップリンク多元接続性スキームとして実施されうる。
【００２２】
さらに、本明細書では、さまざまな実施形態が、モバイル・デバイスに関連して記載される。モバイル・デバイスはまた、システム、加入者ユニット、加入者局、モバイル局、モバイル、遠隔局、遠隔端末、アクセス端末、ユーザ端末、端末、無線通信デバイス、ユーザ・エージェント、ユーザ・デバイス、あるいはユーザ機器（ＵＥ）とも称されうる。モバイル・デバイスは、セルラ電話、コードレス電話、セッション初期化プロトコル（ＳＩＰ）電話、無線ローカル・ループ（ＷＬＬ）局、携帯情報端末（ＰＤＡ）、無線接続機能を有する携帯型デバイス、コンピュータ・デバイス、あるいは無線モデムに接続されたその他の処理デバイスでありうる。さらに、本明細書では、さまざまな実施形態が、基地局に関連して記載される。基地局はモバイル・デバイスと通信するために利用することができ、アクセス・ポイント、ノードＢあるいはその他の用語で称されうる。
【００２３】
さらに、本明細書に記載のさまざまな態様または特徴は、標準的なプログラミング技術および／またはエンジニアリング技術を用いた方法、装置、または製造物品として実現されうる。本明細書で使用される用語「製造物品」は、任意のコンピュータ読取可能デバイス、キャリア、または媒体からアクセスすることが可能なコンピュータ・プログラムを含むことが意図される。例えば、コンピュータ読取可能媒体は、限定される訳ではないが、磁気記憶装置（例えば、ハード・ディスク、フロッピー（登録商標）ディスク、磁気ストリップなど）、光ディスク（例えば、コンパクト・ディスク（ＣＤ）、ＤＶＤなど）、スマート・カード、およびフラッシュ・メモリ・デバイス（例えば、ＥＰＲＯＭ、カード、スティック、キー・ドライブなど）を含みうる。さらに、本明細書に記載されたさまざまな記憶媒体は、情報を格納するための１または複数のデバイス、および／または、その他の機械読取可能媒体を表すことができる。用語「機械読取可能媒体」は、限定されることなく、無線チャネル、および、命令群および／またはデータを格納、包含、および／または搬送することができるその他任意の媒体を含みうる。
【００２４】
図１に示すように、本明細書に記載されたさまざまな実施形態にしたがった無線通信システム１００が例示されている。システム１００は、複数のアンテナ・グループを含むことができる基地局１０２を含む。例えば、１つのアンテナ・グループは、アンテナ１０４およびアンテナ１０６を含むことができ、別のグループはアンテナ１０８およびアンテナ１１０を備えることができ、さらに別のグループはアンテナ１１２およびアンテナ１１４を含むことができる。おのおののアンテナ・グループについて２つのアンテナしか例示されていないが、２本のアンテナが各アンテナ・グループのために例示されているが、２本より多いアンテナ、または２本より少ないアンテナも、各グループのために利用されうる。基地局１０２はさらに、送信機チェーンおよび受信機チェーンを含みうる。それらおのおのは、当業者によって理解されるように、信号の送信および受信に関連する複数の構成要素（例えば、プロセッサ、変調器、マルチプレクサ、復調器、デマルチプレクサ、アンテナなど）を備えうる。
【００２５】
基地局１０２は、例えばモバイル・デバイス１１６およびモバイル・デバイス１２２のような１または複数のモバイル・デバイスと通信することができる。しかしながら、基地局１０２は、モバイル・デバイス１１６およびモバイル・デバイス１２２に類似した実質的に任意の数のモバイル・デバイスと通信しうることが理解されるべきである。モバイル・デバイス１１６、１２２は例えば、セルラ電話、スマート・フォン、ラップトップ、ハンドヘルド通信デバイス、ハンドヘルド・コンピュータ・デバイス、衛星ラジオ、全地球測位システム、ＰＤＡ、および／または、無線通信システム１００を介して通信するのに適切なその他任意のデバイスでありうる。図示するように、モバイル・デバイス１１６は、アンテナ１１２およびアンテナ１１４と通信している。ここで、アンテナ１１２およびアンテナ１１４は、順方向リンク１１８によってアクセス端末１１６へ情報を送信し、逆方向リンク１２０によってアクセス端末１１６から情報を受信する。さらに、モバイル・デバイス１２２はアンテナ１０４およびアンテナ１０６と通信している。ここで、アンテナ１０４およびアンテナ１０６は、順方向リンク１２４でアクセス端末１２２へ情報を送信し、逆方向リンク１２６でアクセス端末１２２から情報を受信する。周波数分割デュプレクス（ＦＤＤ）システムでは、例えば、順方向リンク１１８は、逆方向リンク１２０によって使用されるものとは異なる周波数帯域を使用し、順方向リンク１２４は、逆方向リンク１２６によって使用されるものとは異なる周波数帯域を使用することができる。さらに、時分割デュプレクス（ＴＤＤ）システムでは、順方向リンク１１８および逆方向リンク１２０は、共通の周波数帯域を使用し、順方向リンク１２４および逆方向リンク１２６は、共通の周波数帯域を使用することができる。
【００２６】
通信するように指定された領域および／またはアンテナのおのおののグループは、基地局１０２のセクタと称されうる。例えば、基地局１０２によってカバーされる領域のセクタ内のアクセス端末に通信するように、複数のアンテナが設計されうる。順方向リンク１１８および順方向リンク１２４による通信では、基地局１０２の送信アンテナは、アクセス端末１１６およびアクセス端末１２２のための順方向リンク１１８および順方向リンク１２４の信号対雑音比を改善するためにビームフォーミングを適用することができる。また、基地局１０２が、関連付けられた有効通信範囲にランダムに散在したモバイル・デバイス１１６、１２２に送信するためにビームフォーミングを利用している間、近隣セル内のモバイル・デバイスは、すべてのモバイル・デバイスに対して単一のアンテナによって送信している基地局に比べて、少ない干渉しか被らない。
【００２７】
基地局１０２（および／または基地局１０２のおのおののセクタ）は、１または複数の多元接続技術（例えば、ＣＤＭＡ、ＴＤＭＡ、ＦＤＭＡ、ＯＦＤＭＡ）を使用しうる。例えば、基地局１０２は、対応する帯域幅においてモバイル・デバイス（例えば、モバイル・デバイス１１６、１２２）と通信するために特定の技術を利用しうる。さらに、基地局１０２によって、１より多くの技術が適用される場合、おのおのの技術は、それぞれの帯域幅に関連付けられうる。本明細書に記載された技術は下記を含みうる。グローバル移動体通信システム（ＧＳＭ）、汎用パケット・ラジオ・サービス（ＧＰＲＳ）、エンハンスト・データ・レート・フォーＧＳＭイボリューション（ＥＤＧＥ）、ユニバーサル・モバイル・テレコミュニケーション・システム（ＵＭＴＳ）、広帯域符号分割多元接続（Ｗ−ＣＤＭＡ）、ｃｄｍａＯｎｅ（ＩＳ−９５）、ＣＤＭＡ２０００、イボリューション・データ・オプティマイズド（ＥＶ−ＤＯ）、ウルトラ・モバイル・ブロードバンド（ＵＭＢ）、ワールドワイド・インタオペラビリティ・フォー・マイクロウェーブ・アクセス（ＷｉＭＡＸ）、ＭｅｄｉａＦＬＯ、デジタル・マルチメディア・ブロードキャスティング（ＤＭＢ）、デジタル・ビデオ・ブロードキャスティング−ハンドヘルド（ＤＶＢ−Ｈ）等。前述した技術のリストは、例として与えられたものであって、権利主張される主題はそれに限定されないことが認識されるべきである。むしろ、実質的に任意の無線通信技術が、特許請求の範囲内にあることが意図される。
【００２８】
基地局１０２は、第１の技術を用いて第１の帯域幅を利用しうる。さらに、基地局１０２は、第１の技術に対応するパイロットを、第２の帯域幅で送信しうる。例示によれば、第２の帯域幅は、基地局１０２、および／または、通信のために任意の第２の技術を利用する別の基地局（図示せず）によって導入されうる。さらに、パイロットは、第１の技術の存在を（例えば、第２の技術によって通信しているモバイル・デバイスへ）示しうる。例えば、パイロットは、第１の技術の存在に関する情報を伝送するビットを使用しうる。さらに、例えば、第１の技術を利用するセクタのセクタＩＤ、第１の周波数帯域幅を示すキャリア・インデクス等のような情報がパイロットに含まれうる。
【００２９】
別の例によれば、パイロットは、ビーコン（および／またはビーコンのシーケンス）でありうる。ビーコンは、ＯＦＤＭシンボルでありうる。ここでは、電力の大部分が、１つのサブキャリアまたは少数のサブキャリア（例えば、少ない数のサブキャリア）で送信される。したがって、ビーコンは、モバイル・デバイスによって観察されうる強いピークをもたらすが、同時に、帯域幅の狭い部分において、データと干渉する（例えば、帯域幅の残りの部分は、ビーコンによって影響されない）。この例によれば、第１のセクタは、第１の帯域幅で、ＣＤＭＡによって通信し、第２のセクタは、第２の帯域幅で、ＯＦＤＭによって通信しうる。したがって、第１のセクタは、第２の帯域幅においてＯＦＤＭビーコン（またはＯＦＤＭビーコンのシーケンス）を（例えば、第２の帯域幅においてＯＦＤＭを利用して動作しているモバイル・デバイスへ）送信することによって、第１の帯域幅におけるＣＤＭＡの利用可能性を示しうる。
【００３０】
一般に、本技術は、エンハンスト専用チャネル（Ｅ−ＤＣＨ）送信のためのアップリンク電力ヘッドルーム（ＵＰＨ）測定のために、短縮された測定期間を利用しうる。それに加えて、本技術によって、検出されたＥ−ＤＣＨ送信中に、短縮された測定期間にしたがって、ＵＰＨ測定値をレポートするために、ユーザ機器（ＵＥ）が設定されるようになる。このＵＥ送信電力ヘッドルーム測定値は、１００ミリ秒の期間にわたるＵＥ送信電力ヘッドルームの平均推定値である。ＵＥ送信電力ヘッドルーム測定値は、圧縮モードまたは不連続アップリンクＤＰＣＣＨ送信によって生成された空のスロットを除外しうる。短縮された測定期間を用いることによって、本技術は、ＣＥＬＬ＿ＦＡＣＨ状態におけるＵＥ−ＤＣＨ送信の間、ＵＰＨ測定値を提供しうる。言い換えれば、ＵＥをより正確にスケジュールするために、短縮された測定期間内に、ＵＰＨ測定値がＭＡＣ−ｅスケジューラに提供されうる。これは、Ｅ−ＤＣＨ送信を低減し、Ｅ−ＤＣＨリソースの衝突およびブロッキングの可能性を低減する。
【００３１】
ＵＥがＣＥＬＬ＿ＦＡＣＨ状態にある場合、ＵＥは、Ｅ−ＤＣＨの送信開始前に、設定可能な数のラジオ・フレームのためにＤＰＣＣＨを送信するように設定されうることが認識されるべきである。ＣＥＬＬ＿ＦＡＣＨ状態におけるＵＥは、この期間を含むＤＰＣＣＨ電力の平均に基づいて、利用可能なヘッドループをレポートし、Ｅ−ＤＣＨ送信の開始前に、ＤＰＣＣＨが送信される。データ送信が開始された後、ＣＥＬＬ＿ＦＡＣＨ状態におけるＵＥ送信電力ヘッドルーム測定のための平均期間は、１０ミリ秒である。最初の測定のために、Ｅ−ＤＣＨ送信の開始前に、２０ミリ秒未満のＤＰＣＣＨが設定された場合、ＣＥＬＬ＿ＦＡＣＨ状態におけるＵＥは、最後に正しく送信されたＰＲＡＣＨプリアンブル電力に基づいて、利用可能なヘッドルームをレポートする。この場合、ＵＰＨは、Ｐｐ−ｅを用いてＰｐｒｅａｍｂｌｅから、ＵＰＨ＝Ｐｍａｘ，ｔｘ−Ｐｐｒｅａｍｂｌｅ−Ｐｐ−ｅによって計算されうる。ここで、Ｐｍａｘ，ｔｘは、ＵＥ最大送信電力であり、Ｐｐｒｅａｍｂｌｅは、ＰＲＡＣＨプリアンブルにおける送信符号電力であり、Ｐｐ−ｅは、最後に送信されたプリアンブルの電力と、最初のＤＰＣＣＨ送信電力との電力オフセットである。これらは、すべてｄＢ単位である。
【００３２】
図２に移って、無線通信環境内で適用される通信装置２００が例示される。通信装置２００は、基地局またはその一部であるか、モバイル・デバイスまたはその一部であるか、無線通信環境で送信されたデータを受信する実質的に任意の通信装置でありうる。通信システムでは、通信装置２００は、１００ミリ秒未満である短縮された測定期間中にＵＰＨ測定値をレポートするように通信装置２００を設定するために、以下に示す構成要素を適用する。
【００３３】
この通信装置２００は、Ｅ−ＤＣＨデータ送信が開始される前の送信電力レベルに基づいて、利用可能なヘッドルーム（例えば、ＵＰＨ）を確認する電力評価部２０２を含みうる。特に、この電力評価部２０２は、通信装置２００を、設定可能な数のラジオ・フレームのためにＤＰＣＣＨを送信し、次に、実際のデータ送信の前に利用可能なヘッドルームをレポートするように設定しうる。もしもＤＰＣＣＨプリアンブルが設定されない場合、電力評価部２０２は、ＡＩＣＨ／Ｅ−ＡＩＣＨを受信する前に、最も直近に送信されたＰＲＡＣＨプリアンブル電力をレポートしうる（例えば、最後に送信されたＰＲＡＣＨプリアンブル電力をレポートする）ことが認識されるべきである。それに加えて、電力評価部２０２は、ＣＥＬＬ＿ＦＡＣＨ状態におけるＥ−ＤＣＨ送信の観点から、１００ミリ秒未満である短縮された測定期間に基づいて、利用可能なＵＰＨまたはヘッドルームを識別する要求を受信しうる。
【００３４】
この通信装置はさらに、パッケージャ２０４を含みうる。パッケージャ２０４は、ＵＰＨ、識別された利用可能なヘッドルーム、または、実際のデータ送信前の送信電力を、スケジューリング情報（ＳＩ）内に含んでいる。具体的には、この情報は、限定される訳ではないが、ＭＡＣヘッダのようなヘッダのＳＩ部に含まれうる。パッケージャ２０４は、基地局、ノードＢ等が、ＵＰＨ情報をタイムリーに受信できるようにするために、ＭＡＣヘッダのＳＩ部に、ＵＰＨ情報をシームレスに組み込みうる。特に、ＭＡＣヘッダのＳＩ部内のＵＰＨは、１００ミリ秒未満である短縮された測定期間に基づいて伝送されうる。
【００３５】
さらに、図示していないが、通信装置２００は、獲得インジケーション・チャネル（ＡＩＣＨ）を受信すると、物理ランダム・アクセス・チャネル（ＰＲＡＣＨ）プリアンブルの一部を送信すること、設定可能なラジオ・フレームのため専用物理制御チャネル（ＤＰＣＣＨ）を通信すること、Ｅ−ＤＣＨに関連付けられたデータ送信前に、ＵＥの送信電力レベルを評価すること、ヘッダのスケジューリング情報（ＳＩ）部の中にＵＰＨ測定値を組み込むこと等に関連する命令群を保持するメモリを含みうることが認識されるべきである。ここで、組み込むことは、Ｅ−ＤＣＨ送信の評価された送信電力レベルに少なくとも部分的に基づく。
【００３６】
さらに、通信装置２００は、ＣＥＬＬ＿ＦＡＣＨ状態におけるエンハンスト専用チャネル（Ｅ−ＤＣＨ）送信を検出すること、ＣＥＬＬ＿ＦＡＣＨ内のＥ−ＤＣＨ送信に関連付けられたＵＰＨ測定値を計算するために、短縮された測定期間を利用すること、に関連する命令群を保持するメモリを含みうることが認識されるべきである。ここで、短縮された測定期間は、１００ミリ秒未満である。メモリはさらに、短縮された測定期間に基づいて、ＵＥからのＵＰＨ測定値を要求すること、要求されたＵＰＨ測定値を識別するために、ヘッダ内の受信されたスケジューリング情報（ＳＩ）の一部を評価すること等に関連する命令群を保持することが認識されるべきである。さらに、通信装置２００は、（例えば、メモリ内に保持された命令群、別のソースから取得された命令群のような）命令群を実行することに関連して利用されるプロセッサを含みうる。
【００３７】
図３に示すように、エンハンスト専用チャネル（Ｅ−ＤＣＨ）送信中、短縮された測定期間で、アップリンク電力ヘッドルーム（ＵＰＨ）測定値をレポートすることを容易にする無線通信システム３００が例示されている。このシステム３００は、ユーザ機器（ＵＥ）３０４（および／または、（図示しない）任意の数の別の通信装置）と通信する基地局３０２を含む。基地局３０２は、順方向リンク・チャネルでＵＥ３０４へ情報を送信しうる。基地局３０２はさらに、逆方向リンク・チャネルでＵＥ３０４から情報を受信しうる。さらに、システム３００は、ＭＩＭＯシステムでありうる。さらに、システム３００は、ＯＦＤＭＡ無線ネットワーク、３ＧＰＰ  ＬＴＥ無線ネットワーク等において動作しうる。さらに、一例において、基地局３０２で図示および説明されている構成要素および機能は、その逆に、ＵＥ３０４においても存在しうる。そして、図示する構成は、説明を簡単にするために、これら構成要素を除外している。
【００３８】
ＵＥ３０４は、電力評価部３０６を含みうる。電力評価部３０６は、短縮された測定期間に基づいて、要求を受信しうる。ここで、この要求は、ＵＰＨ測定値の識別を開始しうる。電力評価部３０６は、ＡＩＣＨ／Ｅ−ＡＩＣＨを受信時において、および、ＤＰＣＣＨの送信時において、設定可能な数のラジオ・フレームについて、ＵＰＨ測定値を確認しうる。電力評価部３０６は、データ送信の直前に、送信電力に基づいて、ＵＰＨ測定値を判定しうる。ここで、このデータ送信は、ＣＥＬＬ＿ＦＡＣＨにおけるＥ−ＤＣＨ送信でありうる。ＵＰＨ測定値を求める要求が受信された場合に、ＤＰＣＣＨプリアンブルが設定されていないのであれば、ＡＩＣＨ／Ｅ−ＡＩＣＨを受信する前に最後に送信されたＰＲＡＣＨプリアンブル電力が通信されうることが認識されるべきである。
【００３９】
ＵＥ３０４はさらに、ＵＰＨ測定情報を、ヘッダ内のスケジューリング情報（ＳＩ）の一部へ組み込むパッケージャ３０８を含みうる。特に、パッケージャ３０８は、媒体アクセス制御（ＭＡＣ）ヘッダのＳＩ部に、ＵＰＨ測定情報を組み込みうる。ＵＥ３０４はさらに、ＭＡＣヘッダのＳＩ部内のＵＰＨ測定情報を基地局３０２へ通信すなわち送信するレポータ３１０を含みうる。１００ミリ秒未満として定義されている短縮された測定期間に基づいて、そのようなＵＰＨ情報を基地局３０２へ通信しうることが認識されるべきである。
【００４０】
基地局３０２は、Ｅ−ＤＣＨ検出器３１２を含みうる。これは、ＣＥＬＬ＿ＦＡＣＨ状態におけるＥ−ＤＣＨ送信を識別しうる。Ｅ−ＤＣＨ送信の識別に基づいて、ＵＰＨ測定値をより効率的かつタイムリーに識別するために、短縮された測定期間が利用されうる。例えば、ＣＥＬＬ＿ＦＡＣＨにおけるＥ−ＤＣＨ送信のために、短縮された測定期間に基づいてＵＰＨ測定を要求することによって、ＭＡＣ−ｅスケジューラは、レポートされた利用可能なヘッドルームにしたがって、ＵＥ３０４をスケジュールしうる。
【００４１】
さらに、基地局３０２は、ＵＰＨ期間定義モジュール３１４を含みうる。ＵＰＨ期間定義モジュール３１４は、ＣＥＬＬ＿ＦＡＣＨにおけるＥ−ＤＣＨ送信のため、短縮された測定期間を計算しうる。ここで、そのような短縮された測定期間は、１００ミリ秒未満になるように計算されうる。ＵＰＨ期間定義は、短縮された測定期間が設定されるのと同じ頻度でＵＰＨ測定値を要求しうる。例えば、短縮された測定期間が５０ミリ秒になるように計算された場合、ＵＰＨ測定値は、ＣＥＬＬ＿ＦＡＣＨ状態におけるＥ−ＤＣＨ送信中、５０ミリ秒毎に要求されうる。
【００４２】
さらに、基地局３０２は、分析部３１６を含みうる。分析部３１６は、レポートされたヘッダおよびスケジューリング情報（ＳＩ）を受信し、そこに組み込まれたＵＰＨ測定値を識別しうる。言い換えれば、分析部３１６は、計算または確認されたＵＰＨ測定値を利用するために、ＭＡＣヘッダおよびスケジューリング情報部を評価しうる。ＵＥ３０４をスケジューリングすることを容易にするために、ＵＰＨ測定値に関連する任意の適切な情報を識別するために、分析部３１６は、ＭＡＣヘッダをモニタしうることが認識されるべきである。
【００４３】
一般に、本技術は、ＣＥＬＬ＿ＦＡＣＨ状態における短いバースト状のＥ−ＤＣＨ送信を取り扱いうる。ＣＥＬＬ＿ＦＡＣＨにおけるＥ−ＤＣＨ送信は、持続時間が短い（１００ミリ秒のオーダ）ことが期待されている。ノードＢにおけるＭＡＣ−ｅスケジューリングのために、ＵＥは、スケジューリング情報（ＳＩ）で、ＵＰＨ測定値をレポートしうる。本技術は、１００ミリ秒未満である短縮された測定期間を利用することによって、ＣＥＬＬ＿ＦＡＣＨ状態におけるＥ−ＤＣＨ送信に関連する迅速かつ短い持続期間に適応しうる。
【００４４】
本技術によって、ＵＰＨ測定値は、データ送信の開始前（例えば、ＵＥがＥ−ＤＣＨ送信を開始した時より前）にノードＢへ通信されるようになる。ＵＥがＰＲＡＣＨプリアンブルを送信し、ＡＩＣＨ／Ｅ−ＡＩＣＨを受信した後、ＵＥは、設定可能な数のラジオ・フレームに対してのみＤＰＣＣＨを送信するように構成されうる。その後、ＵＥは、実際のデータ送信が開始される直前の送信電力に基づいて、利用可能なヘッドルーム（例えば、ＵＰＨ）をレポートしうる。そのようなＵＰＨのレポートは、（例えば、ＭＡＣヘッダのような）ヘッダのＳＩ部に含まれうる。ＤＰＣＣＨプリアンブルが設定されていない場合、レポートされたＵＰＨは、（ＡＩＣＨ／Ｅ−ＡＩＣＨの）受信前に最後に送信されたＰＲＡＣＨプリアンブル電力でありうることが認識されるべきである。
【００４５】
さらに、本技術は、Ｅ−ＤＣＨ送信中、ＣＥＬＬ＿ＦＡＣＨ状態におけるＵＰＨ測定のために、短縮された測定期間を使用する。一般に、短縮された測定期間は、１００ミリ秒未満である。例えば、短縮された測定期間は、１０ミリ秒の倍数になりうる。別の例において、短縮された測定期間は、５０ミリ秒である。短縮された測定期間が、１００ミリ秒未満の任意の持続期間になりうることが認識されるべきである。
【００４６】
ＵＥがＣＥＬＬ＿ＦＡＣＨ状態にある場合、ＵＥは、Ｅ−ＤＣＨ送信を開始する前に、設定可能な数のラジオ・フレームのために、ＤＰＣＣＨを送信するように構成されうることが認識されるべきである。ＣＥＬＬ＿ＦＡＣＨ状態におけるＵＥは、この期間を含むＤＰＣＣＨ電力の平均に基づいて、利用可能なヘッドループをレポートし、Ｅ−ＤＣＨ送信の開始前に、ＤＰＣＣＨが送信される。データ送信が開始された後、ＣＥＬＬ＿ＦＡＣＨ状態におけるＵＥ送信電力ヘッドルーム測定のための平均期間は、１０ミリ秒である。第１の測定のために、Ｅ−ＤＣＨ送信の開始前に、２０ミリ秒未満のＤＰＣＣＨが設定された場合、ＣＥＬＬ＿ＦＡＣＨ状態におけるＵＥは、最後に正しく送信されたＰＲＡＣＨプリアンブル電力に基づいて、利用可能なヘッドルームをレポートする。この場合、ＵＰＨは、Ｐｐ−ｅを用いてＰｐｒｅａｍｂｌｅから、ＵＰＨ＝Ｐｍａｘ，ｔｘ−Ｐｐｒｅａｍｂｌｅ−Ｐｐ−ｅによって計算されうる。ここで、Ｐｍａｘ，ｔｘは、ＵＥ最大送信電力であり、Ｐｐｒｅａｍｂｌｅは、ＰＲＡＣＨプリアンブルにおける送信符号電力であり、Ｐｐ−ｅは、最後に送信されたプリアンブルの電力と、最初のＤＰＣＣＨ送信電力との電力オフセットである。これらは、すべてｄＢ単位である。
【００４７】
さらに、図示していないが、基地局３０２は、獲得インジケーション・チャネル（ＡＩＣＨ）を受信すると、物理ランダム・アクセス・チャネル（ＰＲＡＣＨ）プリアンブルの一部を送信すること、設定可能なラジオ・フレームの専用物理制御チャネル（ＤＰＣＣＨ）を通信すること、Ｅ−ＤＣＨに関連付けられたデータ送信前に、ＵＥの送信電力レベルを評価すること、ヘッダのスケジューリング情報（ＳＩ）部にＵＰＨ測定値を組み込むこと等、に関連する命令群を保持するメモリを含みうることが認識されるべきである。ここで、この組み込むことは、Ｅ−ＤＣＨ送信について評価された送信電力レベルに少なくとも部分的に基づく。
【００４８】
さらに、基地局３０２は、ＣＥＬＬ＿ＦＡＣＨ状態におけるエンハンスト専用チャネル（Ｅ−ＤＣＨ）送信を検出すること、ＣＥＬＬ＿ＦＡＣＨ内のＥ−ＤＣＨ送信に関連付けられたＵＰＨ測定値を計算するために、短縮された測定期間を利用すること、に関連する命令群を保持するメモリを含みうることが認識されるべきである。ここで、短縮された測定期間は、１００ミリ秒未満である。メモリはさらに、短縮された測定期間に基づいて、ＵＥからのＵＰＨ測定値を要求すること、要求されたＵＰＨ測定値を識別するために、ヘッダ内の受信されたスケジューリング情報（ＳＩ）の一部を評価することに関連する命令群を保持することが認識されるべきである。さらに、基地局３０２は、（例えば、メモリ内に保持される命令群、別のソースから取得された命令群のような）命令群を実行することに関連して利用されうるプロセッサを含みうる。
【００４９】
図４乃至図５に示すように、フラッシュ・タイマを設定することに関連する方法が例示される。説明を単純にする目的で、これら方法は、一連の動作として示され説明されているが、これら方法は、１または複数の実施形態にしたがって、幾つかの動作が本明細書で示され記載されたものとは異なる順序で、あるいは他の動作と同時に生じうるので、動作の順序によって限定されないことが理解され認識されるべきである。例えば、当業者であれば、これら方法はその代わりに、例えば状態図におけるように、一連の相互関連する状態またはイベントとして表されうることを理解し認識するだろう。さらに、１または複数の実施形態にしたがって方法を実現するために、必ずしも例示されたすべての動作が必要とされる訳ではない。
【００５０】
図４に移って、Ｅ−ＤＣＨ送信中に、ユーザ機器（ＵＥ）からＵＰＨ測定値を伝送することを容易にする方法４００が例示される。参照番号４０２では、獲得インジケーション・チャネル（ＡＩＣＨ）が受信されると、物理ランダム・アクセス・チャネル（ＰＲＡＣＨ）プリアンブルの一部が送信されうる。参照番号４０４では、設定可能なラジオ・フレームの専用物理制御チャネル（ＤＰＣＣＨ）が通信されうる。参照番号４０６では、Ｅ−ＤＣＨに関連付けられたデータ送信前に、ＵＥの送信電力レベルが評価されうる。参照番号４０８では、ＵＰＨ測定値が、ヘッダのスケジューリング情報（ＳＩ）部内に組みこまれうる。ここで、この組み込むことは、Ｅ−ＤＣＨ送信について評価された送信電力レベルに少なくとも部分的に基づく。
【００５１】
次に図５に示すように、短縮された測定期間において、Ｅ−ＤＣＨ送信のためにＵＥからのＵＰＨ測定値を要求する方法５００が例示される。参照番号５０２では、ＣＥＬＬ＿ＦＡＣＨ状態におけるエンハンスト専用チャンネル（Ｅ−ＤＣＨ）送信が検出されうる。参照番号５０４では、ＣＥＬＬ＿ＦＡＣＨ内のＥ−ＤＣＨ送信に関連付けられたＵＰＨ測定値を計算するために、短縮された測定期間が利用されうる。ここで、短縮された測定期間は、１００ミリ秒未満である。参照番号５０６では、短縮された測定期間に基づいて、ＵＥからのＵＰＨ測定値が要求されうる。参照番号５０８では、要求されたＵＰＨ測定値を識別するために、ヘッダ内の受信されたスケジューリング情報の一部が評価されうる。
【００５２】
図６は、無線通信システムにおいて、ヘッダ内のスケジューリング情報（ＳＩ）内にＵＰＨ測定値をパッケージすることを容易にするモバイル・デバイス６００の例示である。モバイル・デバイス６００は、例えば（図示しない）受信アンテナから信号を受信し、受信した信号について一般的な動作（例えば、フィルタ、増幅、ダウンコンバート等）を実行し、これら調整された信号をデジタル化してサンプルを得る受信機６０２を備えうる。受信機６０２は、受信したシンボルを復調し、それらをチャネル推定のためにプロセッサ６０６へ提供する復調器６０４を備えうる。プロセッサ６０６は、受信機６０２によって受信された情報を分析すること、および／または、送信機６１６による送信のための情報を生成することに特化されたプロセッサ、モバイル・デバイス６００の１または複数の構成要素を制御するプロセッサ、および／または、受信機６０２によって受信された情報を分析することと、送信機６１６による送信のための情報を生成することと、モバイル・デバイス６００のうちの１または複数の構成要素を制御することとのすべて行うプロセッサでありうる。
【００５３】
モバイル・デバイス６００はさらにメモリ６０８を備えうる。このメモリ６０８は、プロセッサ６０６に動作可能に接続され、送信されるデータ、受信されたデータ、利用可能なチャネルに関連する情報、分析された信号および／または干渉強度に関連付けられたデータ、割り当てられたチャネルや電力やレート等に関連する情報、および、チャネルの推定やチャネルを介した通信のために適切なその他任意の情報を格納しうる。メモリ６０８はさらに、（例えば、パフォーマンス・ベース、キャパシティ・ベース等での）チャネルの推定および／または利用に関連付けられたアルゴリズムおよび／またはプロトコルを格納しうる。
【００５４】
本明細書に記載されたデータ・ストア（例えば、メモリ６０８）は、揮発性メモリであるか、あるいは不揮発性メモリである。あるいは、揮発性メモリと不揮発性メモリとの両方を含みうることが認識されるだろう。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ）のような多くの形態で利用可能である。主題となるシステムおよび方法のメモリ６０８は、限定される訳ではないが、これらおよびその他任意の適切なタイプのメモリを備えることが意図される。
【００５５】
プロセッサ６０６はさらに、パケット評価部６１０またはパッケージャ６１２のうちの少なくとも１つに動作可能に接続されうる。電力評価部６１０は、Ｅ−ＤＣＨデータ送信が開始される前に、送信電力レベルに基づいて、利用可能なヘッドルーム（例えば、ＵＰＨ）を確認しうる。特に、電力評価部２０２は、設定可能な数のラジオ・フレームのために、ＤＰＣＣＨを送信し、その後、実際のデータ送信の前に、利用可能なヘッドルームをレポートするように通信装置２００を設定しうる。もしもＤＰＣＣＨプリアンブルが設定されない場合、電力評価部２０２は、ＡＩＣＨ／Ｅ−ＡＩＣＨを受信する前に、最も直近に送信されたＰＲＡＣＨプリアンブル電力をレポートしうる（例えば、最後に送信されたＰＲＡＣＨプリアンブル電力をレポートする）ことが認識されるべきである。パッケージャ２０４は、ＭＡＣヘッダのスケジューリング情報（ＳＩ）部の中にＵＰＨ測定値を含めうる。特に、ＭＡＣヘッダのＳＩ部内のＵＰＨは、１００ミリ秒未満である短縮された測定期間に基づいて伝送されうる。
【００５６】
モバイル・デバイス６００はさらに、信号を変調する変調器６１４と、この信号を、例えば、基地局、他のモバイル・デバイス等へ送信する送信機６１６とを備える。プロセッサ６０６と別に示されているが、電力評価部６１０、パッケージャ６１２、復調器６０４、および／または変調器６１４は、プロセッサ６０６または複数のプロセッサ（図示せず）の一部でありうることが認識されるべきである。
【００５７】
図７は、前述したように、無線通信環境において、Ｅ−ＤＣＨ送信中に、ＵＥがＵＰＨ測定値をより頻繁に通信できるようにすることを容易にするシステム７００の例示である。このシステム７００は、複数の受信アンテナ７０６によって１または複数のモバイル・デバイス７０４から信号を受信する受信機７１０と、送信アンテナ７０８によって１または複数のモバイル・デバイス７０４へ信号を送信する送信機７２４とを備える、基地局７０２（例えば、アクセス・ポイント）を備える。受信機７１０は、受信アンテナ７０６から情報を受信する。さらに、受信した情報を復調する復調器７１２と動作可能に関連付けられている。復調されたシンボルは、図６に関連して上述されたプロセッサと類似のプロセッサ７１４によって分析される。プロセッサ７１４は、信号（例えばパイロット）強度および／または干渉強度を推定することに関連する情報、モバイル・デバイス７０４（または（図示しない）別の基地局）へ／から送信される／受信されたデータ、および／または、本明細書に記載されたさまざまな動作および機能を実行することに関連するその他任意の適切な情報を格納するメモリ７１６に接続されている。
【００５８】
さらに、プロセッサ７１４は、電力評価部７１８またはパッケージャ７２０のうちの少なくとも１つに接続されうる。電力評価部６１０は、Ｅ−ＤＣＨデータ送信が開始される前に、送信電力レベルに基づいて、利用可能なヘッドルーム（例えば、ＵＰＨ）を確認しうる。特に、電力評価部２０２は、設定可能な数のラジオ・フレームのためにＤＰＣＣＨを送信し、次に、実際のデータ送信前に、利用可能なヘッドルームをレポートするように通信装置２００を設定しうる。もしもＤＰＣＣＨプリアンブルが設定されない場合、電力評価部２０２は、ＡＩＣＨ／Ｅ−ＡＩＣＨを受信する前に、最も直近に送信されたＰＲＡＣＨプリアンブル電力をレポートしうる（例えば、最後に送信されたＰＲＡＣＨプリアンブル電力をレポートする）ことが認識されるべきである。パッケージャ２０４は、ＭＡＣヘッダのスケジューリング情報（ＳＩ）部の中にＵＰＨ測定値を含めうる。特に、ＭＡＣヘッダのＳＩ部内のＵＰＨは、１００ミリ秒未満である短縮された測定期間に基づいて伝送されうる。
【００５９】
さらに、プロセッサ７１４と別に示されているが、電力評価部７１８、パッケージャ７２０、復調器７１２、および／または変調器７２２は、プロセッサ７１４または複数のプロセッサ（図示せず）の一部でありうることが認識されるべきである。
【００６０】
図８は、無線通信システム８００の例を示す。無線通信システム８００は、簡潔さの目的で、１つの基地局８１０と１つのモバイル・デバイス８５０とを示している。しかしながら、システム８００は、１より多い基地局、および／または、１より多いモバイル・デバイスを含むことができ、これら追加の基地局および／またはモバイル・デバイスは、以下に説明する基地局８１０およびモバイル・デバイス８５０の例と実質的に同じでも、別のものでもありうることが認識されるべきである。それに加えて、基地局８１０および／またはモバイル・デバイス８５０は、その間の無線通信を容易にするために、本明細書に記載されたシステム（図１乃至図３、図６および図７）、および／または方法（図４乃至図５）を適用しうることが認識されるべきである。
【００６１】
基地局８１０では、多くのデータ・ストリームのためのトラフィック・データが、データ・ソース８１２から送信（ＴＸ）データ・プロセッサ８１４へ提供される。一例によれば、おのおののデータ・ストリームが、それぞれのアンテナを介して送信される。ＴＸデータ・プロセッサ８１４は、トラフィック・データ・ストリームをフォーマットし、このデータ・ストリームのために選択された特定の符合化スキームに基づいて符号化し、インタリーブして、符合化されたデータを提供する。
【００６２】
おのおののデータ・ストリームの符合化されたデータは、直交周波数分割多重化（ＯＦＤＭ）技術を用いてパイロット・データと多重化されうる。さらに、あるいは、その代わりに、パイロット・シンボルは、周波数分割多重化（ＦＤＭ）、時分割多重化（ＴＤＭ）、あるいは符号分割多重化（ＣＤＭ）されうる。パイロット・データは一般に、既知の方法で処理される既知のデータ・パターンであり、チャネル応答を推定するためにモバイル・デバイス８５０において使用されうる。おのおののデータ・ストリームについて多重化されたパイロットおよび符合化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、符号化、および変調は、プロセッサ８３０によって実行または提供される指示によって決定されうる。
【００６３】
データ・ストリームの変調シンボルは、（例えば、ＯＦＤＭのために）変調シンボルを処理するＴＸ  ＭＩＭＯプロセッサ８２０に提供される。ＴＸ  ＭＩＭＯプロセッサ８２０はその後、ＮＴ個の変調シンボル・ストリームを、ＮＴ個の送信機（ＴＭＴＲ）８２２ａ乃至８２２ｔへ提供する。さまざまな実施形態において、ＴＸ  ＭＩＭＯプロセッサ８２０は、データ・ストリームのシンボル、および、そのシンボルが送信されるアンテナへ、ビームフォーミング重みを適用する。
【００６４】
おのおのの送信機８２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機８２２ａ乃至８２２ｔからのＮＴ個の変調信号は、ＮＴ個のアンテナ８２４ａ乃至８２４ｔそれぞれから送信される。
【００６５】
モバイル・デバイス８５０では、送信された変調信号は、ＮＲ個のアンテナ８５２ａ乃至８５２ｒによって受信され、おのおののアンテナ８５２から受信された信号が、それぞれの受信機（ＲＣＶＲ）８５４ａ乃至８５４ｒへ提供される。おのおのの受信機８５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００６６】
ＲＸデータ・プロセッサ８６０は、ＮＲ個の受信機８５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ８６０は、検出されたおのおののシンボル・ストリームを復調し、デインタリーブし、復号して、そのデータ・ストリームのためのトラフィック・データを復元する。ＲＸデータ・プロセッサ８６０による処理は、基地局８１０におけるＴＸ  ＭＩＭＯプロセッサ８２０およびＴＸデータ・プロセッサ８１４によって実行されるものと相補的である。
【００６７】
プロセッサ８７０は、上述したように、どの事前符合化行列を使用するのかを定期的に決定する。さらに、プロセッサ８７０は、行列インデクス部およびランク値部を備えた逆方向リンク・メッセージを規定することができる。
【００６８】
逆方向リンク・メッセージは、通信リンクおよび／または受信されたデータ・ストリームに関するさまざまなタイプの情報を備えうる。逆方向リンク・メッセージは、多くのデータ・ストリームに関するトラフィック・データをデータ・ソース８３６から受け取るＴＸデータ・プロセッサ８３８によって処理され、変調器８８０によって変調され、送信機８５４ａ乃至８５４ｒによって調整され、基地局８１０へ送り戻される。
【００６９】
基地局８１０では、モバイル・デバイス８５０からの変調信号が、アンテナ８２４によって受信され、受信機８２２によって調整され、復調器８４０によって復調され、ＲＸデータ・プロセッサ８４２によって処理されて、モバイル・デバイス８５０によって送信された逆方向リンク・メッセージが抽出される。さらに、プロセッサ８３０は、ビームフォーミング重みを決定するためにどの事前符合化行列を使用するかを決定するために、この抽出されたメッセージを処理する。
【００７０】
プロセッサ８３０およびプロセッサ８７０は、基地局８１０およびモバイル・デバイス８５０それぞれにおける動作を指示（例えば、制御、調整、管理等）する。プロセッサ８３０およびプロセッサ８７０はそれぞれ、プログラム・コードおよびデータを格納するメモリ８３２およびメモリ８７２に関連付けられうる。プロセッサ８３０およびプロセッサ８７０はまた、アップリンクおよびダウンリンクそれぞれのための周波数およびインパルス応答推定値を導出する計算をも実行する。
【００７１】
本明細書に記載された実施形態は、ハードウェア、ソフトウェア、ファームウェア、ミドルウェア、マイクロコード、あるいはこれらの任意の組み合わせで実現されうることが理解されるべきである。ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールドプログラム可能ゲート・アレイ（ＦＰＧＡ）、プロセッサ、コントローラ、マイクロ・コントローラ、マイクロ・プロセッサ、本明細書に記載の機能を実行するために設計されたその他の電子ユニット、あるいはこれらの組み合わせ内に実装されうる。
【００７２】
これら実施形態が、ソフトウェア、ファームウェア、ミドルウェアあるいはマイクロコード、プログラム・コードあるいはコード・セグメントで実現される場合、これらは、例えば記憶素子のような機械読取可能媒体に格納されうる。コード・セグメントは、手順、機能、サブプログラム、プログラム、ルーチン、サブルーチン、モジュール、ソフトウェア・パッケージ、クラス、または、命令、データ構造、あるいはプログラム文からなる任意の組み合わせを表すことができる。コード・セグメントは、情報、データ、引数、パラメータ、あるいは記憶内容の引渡および／または受信を行うことによって、他のコード・セグメントまたはハードウェア回路に接続されうる。情報、引数、パラメータ、データなどは、メモリ共有、メッセージ引渡し、トークン引渡、ネットワーク送信などを含む任意の適切な手段を用いて引渡、転送、あるいは送信されうる。
【００７３】
ソフトウェアで実現する場合、本明細書に記載のこれら技術は、本明細書に記載の機能を実行するモジュール（例えば、手続き、機能等）を用いて実現されうる。ソフトウェア・コードは、メモリ・ユニット内に格納され、プロセッサによって実行されうる。メモリ・ユニットは、プロセッサ内部またはプロセッサ外部に実装されうる。プロセッサ外部に実装される場合、メモリ・ユニットは、当該技術分野で周知のさまざまな手段によってプロセッサと通信可能に接続されうる。
【００７４】
図９を参照して、エンハンスト専用チャネル（Ｅ−ＤＣＨ）送信中、短縮された測定期間において、アップリンク電力ヘッドルーム（ＵＰＨ）測定値をレポートすることを容易にするシステム９００が例示される。例えば、システム９００は、基地局、ラジオ・ネットワーク・コントローラ（ＲＮＣ）、モバイル・デバイス等の中に少なくとも部分的に存在しうる。システム９００は、プロセッサ、ソフトウェア、またはそれらの組み合わせ（例えば、ファームウェア）によって実現される機能を表す機能ブロックでありうる機能ブロックを含むものとして示されることが認識されるべきである。システム９００は、連携して動作しうる電子構成要素の論理グループ９０２を含む。論理グループ９０２は、獲得インジケーション・チャネル（ＡＩＣＨ）を受信すると、物理ランダム・アクセス・チャネル（ＰＲＡＣＨ）プリアンブルの一部を送信するための電子構成要素９０４を含みうる。さらに、論理グループ９０２は、設定可能なラジオ・フレームのために、専用物理制御チャネル（ＤＰＣＣＨ）を通信するための電子構成要素９０６を備えうる。さらに、論理グループ９０２は、Ｅ−ＤＣＨに関連付けられたデータ送信前に、ＵＥの送信電力レベルを評価するための電子構成要素９０６を含みうる。論理グループ９０２は、ヘッダのスケジューリング情報（ＳＩ）部内にＵＰＨ測定値を組み込むための電子構成要素９１０を含みうる。ここで、この組み込むことは、Ｅ−ＤＣＨ送信について評価された送信電力レベルに少なくとも部分的に基づく。さらに、システム９００は、電子構成要素９０４、９０６、９０８、９１０に関連付けられた機能を実行するための命令群を保持するメモリ９１２を含みうる。メモリ９１２の外側にあるとして示されているが、電子構成要素９０４、９０６、９０８、９１０のうちの１または複数は、メモリ９１２内に存在しうることが理解されるべきである。
【００７５】
図１０に移って、Ｅ−ＤＣＨ送信のために、短縮された測定期間において、ＵＥからのＵＰＨ測定値を要求するシステム１０００が例示される。システム１０００は、例えば、基地局、ラジオ・ネットワーク・コントローラ（ＲＮＣ）、モバイル・デバイス等の中に存在しうる。図示するように、システム１０００は、プロセッサ、ソフトウェア、または（例えば、ファームウェアのような）これらの組み合わせによって実現される機能を表しうる。システム１０００は、Ｅ−ＤＣＨ送信中に、ＵＰＨ測定に関連する短縮された測定期間を定義することを容易にするための電子構成要素１００２を含む。論理グループ１００２は、ＣＥＬＬ＿ＦＡＣＨ状態におけるエンハンスト専用チャネル（Ｅ−ＤＣＨ）送信を検出するための電子構成要素１００４を含みうる。さらに、論理グループ１００２は、ＣＥＬＬ＿ＦＡＣＨにおけるＥ−ＤＣＨ送信に関連付けられたＵＰＨ測定値を計算するために、短縮された測定期間を利用するための電子構成要素１００６を備えうる。ここで、短縮された測定期間は、１００ミリ秒未満である。さらに、論理グループ１００２は、短縮された測定期間に基づいて、ＵＥからのＵＰＨ測定値を要求するための電子構成要素１００８を含みうる。論理グループ１００２は、要求されたＵＰＨ測定値を識別するために、ヘッダ内の受信されたスケジューリング情報の一部を評価するための電子構成要素１０１０を含みうる。さらに、システム１０００は、電子構成要素１００４、１００６、１００８、１０１０に関連付けられた機能を実行するための命令群を保持するメモリ１０１２を含みうる。メモリ１０１２の外側にあるとして示されているが、電子構成要素１００４、１００６、１００８、１０１０は、メモリ１０１２内に存在しうることが理解されるべきである。
【００７６】
上述したものは、１または複数の実施形態のうちの一例を含む。もちろん、上述した実施形態を説明する目的で、構成要素または方法の考えられるすべての組み合わせを記述することは可能ではないが、当業者であれば、さまざまな実施形態のさらに多くの組み合わせおよび置き換えが可能であることを認識することができる。したがって、記載された実施形態は、特許請求の範囲の精神およびスコープ内にあるそのようなすべての変更、変更、および変形を含むことが意図される。さらにまた、用語「含む」が、詳細説明あるいは特許請求の範囲のうちの何れかで使用されている限り、その用語は、用語「備える」が、請求項における遷移語として適用される場合に解釈される用語「備える」と同様に、包括的であることが意図される。
【図１】
2011515997.tif 000003
【図２】
2011515997.tif 000004
【図３】
2011515997.tif 000005
【図４】
2011515997.tif 000006
【図５】
2011515997.tif 000007
【図６】
2011515997.tif 000008
【図７】
2011515997.tif 000009
【図８】
2011515997.tif 000010
【図９】
2011515997.tif 000011
【図１０】
2011515997.tif 000012
【国際調査報告】
2011515997.tif 000013
2011515997.tif 000014
2011515997.tif 000015
2011515997.tif 000016
2011515997.tif 000017
2011515997.tif 000018